(57)【要約】【課題】カードアダプタやカードコネクタに備えるカード接触用コンタクトに安定した接触圧と高寿命を確保する。【解決手段】カードアダプタやカードコネクタのカード挿入空間５ｆに配置して、カード１の片主面に設けられた接触パッド２に接触させるカード接触用コンタクト１１を、一方に第１支点部１１ｂを有する第１板バネ片部１１ｃが、カード厚み方向に弾性変位可能に第１支点部１１ｂからカード挿入方向とは逆方向に片持ち梁状に延び、その第１板バネ片部１１ｃの他方を第２支点部１１ｄとして一方に有する第２板バネ片部１１ｅが、カード厚み方向に弾性変位可能に第２支点部１１ｄから傾斜角を持ってカード挿入方向に片持ち梁状に延びる形状に形成され、その第２板バネ片部１１ｅの他方をカード１の接触パッド２に接触させる。【選択図】  図１１
2008146873.tif 000002
【特許請求の範囲】
【請求項１】
カード挿入空間に配置して、カードの片主面に設けられた接触パッドに接触させるコンタクトにおいて、一方に第１支点部を有する第１板バネ片部が、カード厚み方向に弾性変位可能に第１支点部からカード挿入方向とは逆方向に片持ち梁状に延び、その第１板バネ片部の他方を第２支点部として一方に有する第２板バネ片部が、カード厚み方向に弾性変位可能に第２支点部から傾斜角を持ってカード挿入方向に片持ち梁状に延びる形状に形成され、その第２板バネ片部の他方をカードの接触パッドに接触させることを特徴とするコンタクト。
【請求項２】
第２板バネ片部は第１板バネ片部を部分的に切り起こして形成する請求項１に記載のコンタクト。
【請求項３】
第１板バネ片部の第１支点部に、カード挿入空間を形成するケース体への取付部を一体に連設する請求項１又は２に記載のコンタクト。
【請求項４】
取付部の第１板バネ部とは反対側に、外部接続用端子を一体に連設する請求項３に記載のコンタクト。
【請求項５】
請求項１〜４の何れか１に記載のコンタクトを備えると共に、カード挿入空間を形成するケース体が、カード挿入空間に挿入するカードよりも大型の他のカードの外形形状を備えるアダプタ本体を構成していることを特徴とするカードアダプタ。
【請求項６】
請求項１〜４の何れか１に記載のコンタクトを備えると共に、カード挿入空間を形成するケース体が、コンタクトを取り付ける絶縁性の下ケースとその下ケースに被着する導電性の上ケースとで箱形状を備えるコネクタハウジングを構成していることを特徴とするカードコネクタ。
【発明の詳細な説明】
【技術分野】
【０００１】
本発明は、メモリカード等のカードの片主面に設けられた接触パッドに接触させるコンタクトとそれを備えるカードアダプタ及びカードコネクタに関する。
【背景技術】
【０００２】
メモリカードを電子機器に接続するためのカードコネクタ及び１の規格、即ち小型化前のメモリカードに対応しているカードコネクタに、１の規格より小型化された他の規格のメモリカードを接続するためのカードアダプタのそれぞれのカード挿入空間には、カードの片主面に並設された複数の接触パッドのそれぞれに接触させる良導電性の金属板バネからなるコンタクト（接触部材）が備えられている。
【０００３】
従来のコンタクトは、一方に荷重を支える支点部を有し、その支点部から傾斜角を持たせてカード挿入方向とは逆方向に延びる単純な片持ち梁形状に形成され、コンタクトの他方をカードの接触パッドに押し当てて接触させる構造になっている。
【０００４】
このような従来のコンタクトとそれを備える従来のカードアダプタ及びカードコネクタは、例えば特許文献１、２によって知られている。
【特許文献１】特開２００５−１５００００号公報
【特許文献２】特開２００６−２６９１０２号公報
【発明の開示】
【発明が解決しようとする課題】
【０００５】
カード接触用のコンタクトの現状としては、携帯電話に代表されるように電子機器の小型・薄型化やカード自体の小型・薄型化により、コンタクトも小型化され、しかもコンタクト変位量も益々抑えられ、それに伴って十分な接触圧を確保することが困難になっている（接触圧はフックの法則に従ってコンタクト変位量に比例する）。
【０００６】
従来のコンタクトは、単純な片持ち梁形状に形成された対向型で、カード挿入による座屈の危険性があり、コンタクト変位量をある一定以上に大きくすることはできないため、十分な接触圧を確保するには、バネ定数を大きくするしかない。
【０００７】
しかしながら、図１８に示したコンタクトの接触圧Ｆ（Ｎ）と変位量ｘ（ｍｍ）の関係から明らかなように、コンタクトのバネ定数ｋを大きくすると、適正な接触圧を得ることのできる変位量の範囲が狭くなるため（Ｂ＜Ａ）、接触部の位置を厳密に管理してバラツキを抑えないと安定した接触圧は得られず、安定した接触圧を確保することが困難になる。また、構造的に１箇所（１つの支点部）に応力が集中するのに加え、発生する応力もバネ定数ｋの増大に伴って大きくなるために寿命が短くなる。
【０００８】
本発明が解決しようとする課題は、従来のコンタクト形状では、安定した接触圧と高寿命を確保することができない点にある。
【課題を解決するための手段】
【０００９】
上記課題を解決するために本発明のコンタクトは、カード挿入空間に配置して、カードの片主面に設けられた接触パッドに接触させるコンタクトにおいて、一方に第１支点部を有する第１板バネ片部が、カード厚み方向に弾性変位可能に第１支点部からカード挿入方向とは逆方向に片持ち梁状に延び、その第１板バネ片部の他方を第２支点部として一方に有する第２板バネ片部が、カード厚み方向に弾性変位可能に第２支点部から傾斜角を持ってカード挿入方向に片持ち梁状に延びる形状に形成され、その第２板バネ片部の他方をカードの接触パッドに接触させることを特徴とする。
【００１０】
上記構成を有する本発明のコンタクトは、カードの接触パッドに接触させる板バネ片部（第２板バネ片部）がその支点部（第２支点部）から傾斜角を持ってカード挿入方向（順方向）に片持ち梁状に延びる非対向型になるため、カード挿入による座屈の危険性がなく、コンタクトの変位量を増減することで、接触圧を増減できる。よって、コンタクトのバネ定数を大きくしなくても十分な接触圧を確保することができ、適正な接触圧を得ることのできる変位量の範囲が狭くならず、接触部の位置を厳密に管理してバラツキを抑える必要もなくなる。したがって、コンタクトの安定した接触圧を容易に確保することができる。また、構造的に２箇所（第１板バネ片部の第１支点部と第２板バネ片部の第２支点部）に応力を分散することができるのに加え、発生する応力もバネ定数を大きくしないことで小さく抑えることができ、このような応力緩和によりコンタクトの寿命を延ばすことがでる。
【００１１】
本発明のコンタクトにおいては、第２板バネ片部は、第１板バネ片部の他方から折り返し状に形成することもできるが、第１板バネ片部を部分的に切り起こして形成することが好ましい。この形態では、第２板バネ片部を第１板バネ片部の他方から折返部（曲げ半径）を介することなく直接、傾斜角を持ってカード挿入方向（順方向）に片持ち梁状に延ばすことができ、より大きなコンタクトの変位量を得ることができるようになり、コンタクトの安定した接触圧がより確保し易くなる。
【００１２】
また、本発明のコンタクトにおいては、第１板バネ片部の第１支点部に、カード挿入空間を形成するケース体への取付部を一体に連設することができる。さらに、取付部の第１板バネ部とは反対側に、外部接続用端子を一体に連設することができる。
【００１３】
本発明のカードアダプタは、上記本発明のコンタクトを備えると共に、カード挿入空間を形成するケース体が、カード挿入空間に挿入するカードよりも大型の他のカードの外形形状を備えるアダプタ本体を構成していることを特徴とする。
【００１４】
本発明のカードコネクタは、上記本発明のコンタクトを備えると共に、カード挿入空間を形成するケース体が、コンタクトを取付ける絶縁性の下ケースとその下ケースに被着する導電性の上ケースとで箱形状を備えるコネクタハウジングを構成していることを特徴とする。
【発明の効果】
【００１５】
本発明のコンタクトによれば、安定した接触圧と高寿命を容易に確保することができる。
【００１６】
本発明のカードアダプタによれば、それに備えるカード接触用のコンタクトに安定した接触圧と高寿命を容易に確保することができる。
【００１７】
本発明のカードコネクタによれば、それに備えるカード接触用のコンタクトに安定した接触圧と高寿命を容易に確保することができる。
【発明を実施するための最良の形態】
【００１８】
以下、本発明のコネクタ及びそれを備えるカードアダプタの実施形態を図１〜図１２を参照して説明する。本実施形態では、１の規格、即ち小型化前のメモリカード、例えばメモリースティックPRO Duo（ソニー株式会社の商標）（以下、「大型カード」という。）を、１の規格より小型化された他の規格のメモリカード、例えばメモリースティックマイクロ（ソニー株式会社の商標）（以下、「小型カード」という。）に対応しているカードコネクタに接続するためのカードアダプタについて説明する。
【００１９】
図１は本発明のコネクタ及びそれを備えるカードアダプタの実施形態に係るカードアダプタを使用する小型カードの（Ａ）表面図、（Ｂ）側面図、（Ｃ）裏面図である。図１に示すように、小型カード１は、この小型カード１に対応しているカードコネクタや本実施形態のカードアダプタへの挿入時に、前側に位置し、上側と下側のそれぞれにテーパ部１ａ，１ｂを有して断面先細り状に形成される前端部１ｃと、後側に位置し、平坦面からなる後端部１ｄとを備えている。また、左右両側縁部のそれぞれには、後端部１ｄと協働して、この小型カード１に対応しているカードコネクタや本実施形態のカードアダプタへの前後逆の誤挿入及び表裏逆の誤挿入を防止するための段部１ｅ，１ｆを有し、これら段部１ｅ，１ｆの後端部１ｄ側には、この小型カード１に対応しているカードコネクタへの挿入時に、小型カード１をカードコネクタの装着位置に保持するための凹部１ｇ，１ｈが形成されると共に、図１の（Ａ）において右側の段部１ｆにおける凹部１ｈより前端部１ｃ側には、本実施形態のカードアダプタへの挿入時に、小型カード１を本実施形態のカードアダプタの装着位置に保持するための凹部１ｉが形成されている。さらに、裏面（片主面）の前端部１ｃ側には、外部接続用の接触パッド２が複数（１１本）並設されている。
【００２０】
図２は本発明のコネクタ及びそれを備えるカードアダプタの実施形態に係るカードアダプタの表面側の外観を示す斜視図、図３は本発明のコネクタ及びそれを備えるカードアダプタの実施形態に係るカードアダプタの裏面側の外観を示す斜視図である。図２，図３に示すように、本実施形態のカードアダプタ３は、内側に小型カード１を着脱自在に装着するアダプタ本体４が大型カードの外形形状を備えており、その大型カードに対応しているカードコネクタに接続できるようになっている。即ちアダプタ本体４は、大型カードと同様に、大型カードに対応しているカードコネクタへの挿入時に、前側に位置し、下側にデーパ部４ａを有する前端部４ｂと、後側に位置し、平坦面からなる後端部４ｃとを備えている。また、大型カードに対応しているカードコネクタへの前後逆の誤挿入や表裏逆の誤挿入を防止するために、前端部４ｂ側の図２において左端部に角落とし部４ｃを有すると共に、その角落とし部４ｃの直後の裏面（片主面）には、前方及び下方に開放した凹部４ｄが形成されている。さらに、裏面の前端部４ｂ側には、外部接続用端子保護用に前方及び下方に開放した凹部４ｅが誤挿入防止用の凹部４ｄと並べて複数（１０本）形成され、その外部接続用端子保護用の凹部４ｅのそれぞれの底部に外部接続用端子４ｆが配置されて、裏面（片主面）の前端部４ｂ側に、外部接続用端子４ｆが複数（１０本）並設されている。そして、このようなアダプタ本体４には、その後端部４ｃ側の側面に小型カード１を挿入するカード挿入口４ｇが形成されている。
【００２１】
図４は本発明のコネクタ及びそれを備えるカードアダプタの実施形態に係るカードアダプタを分解した状態を示す斜視図である。図４に示すように、本実施形態のカードアダプタ３は、絶縁性の合成樹脂からなる１ピース構造の下ケース５と、この下ケース５とでアダプタ本体４を構成する２ピース構造の上ケース、即ち絶縁性の合成樹脂からなる樹脂カバー６及び静電破壊対策やノイズ対策を施す導電性の金属板からなる金属カバー７と、アダプタ本体４に内蔵し、小型カード１をアダプタ本体４の装着位置に保持するためのロックバネ８と、絶縁性の合成樹脂からなるインシュレータ（絶縁体）９に一体的に保持してアダプタ本体４に内蔵し、金属カバー７に接触させて両端の外部接続用端子４ｆを導通接続させる複数（２本）のシールド用コンタクト１０、及び、小型カード１の接触パッド２に接触させて対応する外部接続用端子４ｆを導通接続させる本発明に係る複数（９本）のカード接触用コンタクト１１から構成されている。
【００２２】
図５は本発明のコネクタ及びそれを備えるカードアダプタの実施形態に係るカードアダプタの上ケースを除去した状態（上ケース取付け前の半組立て状態）を示す斜視図である。図４，図５に示すように、下ケース５は、底壁５ａと、底壁５ａの前端縁部及び左右両側縁部に立設された側壁５ｂとを一体に形成してなり、側壁５ｂには、上ケース位置決め用凹部５ｃ-1を複数設けると共に、側壁５ｂの上部には、上ケース溶着用凸部５ｃ-2を上方に突出して複数設けている。また、下ケース５の内側には、その前端部側に外部接続用端子４ｆを位置決めして支持するための外部接続用端子装着部５ｄを形成し、その外部接続用端子装着部５ｄの後側にインシュレータ９を位置決めして支持するためのインシュレータ装着部５ｅを連通して連続形成し、そのインシュレータ装着部５の後側にカード挿入空間５ｆを連通して連続形成し、そのカード挿入空間５ｆの後端側がカード挿入口４ｆに連通接続される。また、外部接続用端子装着部５ｄの底面には、外部接続用端子保護用の凹部４ｅのそれぞれに貫通する外部接続用端子露出孔５ｇが複数（１０個）並設されている。また、側壁５ｂには、インシュレータ装着部５の後端部側で図４において左側の角部に部分的に突出し、小型カード１のカード挿入空間５ｆへの挿入時に、小型カード１の前端部１ｃを受け止めてその小型カード１の挿入規制を行うためのストッパー部５ｈが形成され、そのストッパー部５ｈの厚み内には、一方のシールド用コンタクト１０を装着するためのコンタクト装着部５ｊがインシュレータ装着部５に連通して連続形成されると共に、底壁５ａには、インシュレータ装着部５の後端部側で図４において右側の角部付近に島状に立設し、小型カード１のカード挿入空間５ｆへの挿入時に、小型カード１の前端部１ｃを受け止めてその小型カード１の挿入規制を行うためのストッパー部５ｋが形成され、インシュレータ装着部５の後端部側で図４において右側の角部に作られるストッパー部５ｋと側壁５ｂの隙間で、他方のシールド用コンタクト１０を装着するためのコンタクト装着部５ｍがインシュレータ装着部５ｅ及びカード挿入空間５ｆに連通して連続形成されている。また、カード挿入空間５ｆの底面には、その前端部側（奥側）にカード接触用コンタクト１１のそれぞれに対応して前後方向（カード挿抜方向）に延びる細幅のコンタクト収容溝５ｎが複数（９本）並設されている。さらに、カード挿入空間５ｆの図４において右側にある側壁の厚み内には、ロックバネ８を装着するためのロックバネ装着部５ｑが形成され、そのロックバネ装着部５ｑの後端部側がカード挿入空間５ｆに連通接続されている。
【００２３】
図６は本発明のコネクタ及びそれを備えるカードアダプタの実施形態に係るカードアダプタの断面図、図７は本発明のコネクタ及びそれを備えるカードアダプタの実施形態に係るカードアダプタの小型カード装着状態の断面図である。図２，図４，図６，図７に示すように、樹脂カバー６及び金属カバー７からなる２ピース構造の上ケースは、樹脂カバー６によりカード挿入空間５ｆ以外の下ケース５上部を一体的に覆い、金属カバー７によりカード挿入空間５ｆの上部を覆うように、樹脂カバー６は、その後端部側にカード挿入空間５ｆに対応する大きさの切欠部６ａを有し、後方に向けて開口される略コの字形状に形成され、金属カバー７は、樹脂カバー６の切欠部６ａ形状に対応して矩形状に形成され、その切欠部６ａに嵌合できるようになっている。また、樹脂カバー６の内表面には、下ケース５の上ケース位置決め用凹部５ｃ-1のそれぞれに嵌合させる図示しない複数の上ケース位置決め用凸部及び下ケース５の上ケース溶着用凸部５ｃ-2のそれぞれに嵌合させる図示しない複数の上ケース溶着用凹部が形成されている。また、金属カバー７の左右両側縁部のそれぞれには、カード挿入空間５ｆの左右両側にある下ケース５の側壁５ｂ上部に重ね合わせる固定片７ａ，７ｂが、段部７ｃ，７ｄを介し１段下げられて一体的に連設され、これら固定片７ａ，７ｂのそれぞれには、カード挿入空間５ｆの左右両側にある下ケース５の上ケース溶着用凸部５ｃ-2に嵌合させる金属カバー位置決め用の上下貫通の係合孔７ｅが複数形成されている。さらに、金属カバー７の前端縁部は、下向きに曲げ形成されて金属カバー位置決め用の係合片７ｆになっている。
【００２４】
図４，図５に示すように、ロックバネ８は、略Ｕ字状に曲げられた金属板バネからなり、そのロックバネ８の一端部側には、金属板バネを長さ方向に沿って山形に曲げてなる係合部８ａが設けられている。
【００２５】
本実施形態のカードアダプタ３の組立ては、図５に示すように、ロックバネ８を下ケース５のロックバネ装着部５ｑに装着し、ロックバネ８の弾性力によってその係合部８ａをロックバネ装着部５ｑ後端部側のカード挿入空間５ｆとの連通部からカード挿入空間５ｆに突出させる。また、インシュレータ９を下ケース５のインシュレータ装着部５ｅに装着し、全ての外部接続用端子４ｆとともにシールド用コンタクト１０及びカード接触用コンタクト１１を下ケース５に一括に装着する。この後、金属カバー７の係合孔７ｅを下ケース５の上ケース溶着用凸部５ｃ-2に嵌合させると共に、金属カバー７の前端縁部の係合片７ｆをインシュレータ９の後述する係合溝に嵌合させながら、金属カバー７の固定片７ａ，７ｂをカード挿入空間５ｆの左右両側にある下ケース５の側壁５ｂ上部に重ね合わせて、金属カバー７によりカード挿入空間５ｆの上部を覆った後、樹脂カバー６の上ケース位置決め用凸部及び上ケース溶着用凹部を下ケース５の上ケース位置決め用凹部５ｃ-1及び上ケース溶着用凸部５ｃ-2に嵌合させるとと共に、金属カバー７を樹脂カバー６の切欠部６ａに嵌合させながら、金属カバー７の固定片７ａ，７ｂとインシュレータ９を下ケース５との間に挟み込んだ状態で、樹脂カバー６によりカード挿入空間５ｆ以外の下ケース５の上部を覆い、図２，図６に示すように、樹脂カバー６と金属カバー７からなる２ピース構造の上ケースにより下ケース５の上部全面を覆う。そして、樹脂カバー６によりカード挿入空間５ｆ以外の下ケース５の上部を覆った後に、嵌合状態の下ケース５の上ケース溶着用凸部５ｃ-2と樹脂カバー６の上ケース位置決め用凸部とを超音波溶着して、樹脂カバー６と金属カバー７からなる２ピース構造の上ケースを下ケース５上部に固定し、アダプタ本体４を形成することにより、完了する。
【００２６】
上記のように組立てられた本実施形態のカードアダプタ３は、アダプタ本体４が、図２，図３に示すように、大型カードの外形形状を備えて、その後端部４ｃ側の側面にカード挿入口４ｇが形成されている。また、図５に示すように、ロックバネ８がアダプタ本体４に内蔵されると共に、インシュレータ９を介して全ての外部接続用端子４ｆとともにシールド用コンタクト１０及びカード接触用１１がアダプタ本体４に一括に内蔵されている。さらに、アダプタ本体４内におけるインシュレータ９の後側には、インシュレータ９により閉じられた前端部及びカード挿入口４ｇにより外部に開放された後端部とを有するカード挿入空間５ｆが形成され、図２，図３，図６に示すように、小型カード１がアダプタ本体４のカード挿入口４ｇを通してカード挿入空間５ｆに挿入装着できるようになっている。
【００２７】
図８は本発明のコネクタ及びそれを備えるカードアダプタの実施形態に係るカードアダプタに備えるコンタクト郡の外観を示す斜視図、図９は本発明のコネクタ及びそれを備えるカードアダプタの実施形態に係るカードアダプタに備えるコンタクト郡の（Ａ）平面図、（Ｂ）正面図、（Ｃ）側面図である。また、図１０は本発明のコネクタ及びそれを備えるカードアダプタの実施形態に係るカードアダプタに備えるコンタクト郡を成形したフープ材の（Ａ）平面図、（Ｂ）断面図、（Ｃ）側面図である。本実施形態のカードアダプタ３に備えるコンタクト郡、即ち２本のシールド用コンタクト１０及び９本のカード接触用コンタクト１１は、図１０に示すように、良導電性を持ったバネ材料からなるフープ材１２に打抜き加工で並列に一体に連結した状態で成形される。この成形状態では、コンタクト郡の左右両端に２本のシールド用コンタクト１０が形成され、その２本のシールド用コンタクト１０の間に９本のカード接触用コンタクト１１が並列に形成されている。また、シールド用コンタクト１０のそれぞれには、その中間部にアダプタ本体４への取付部１０ａが形成され、カード接触用コンタクト１１のそれぞれにも、その中間部にアダプタ本体４への取付部１１ａが形成されている。ここで、図１０において右側のシールド用コンタクト１０の取付部１０ａは、図１０において右端のカード接触用コンタクト１１の取付部１１ａに一体に形成され、図１０において左側のシールド用コンタクト１０の取付部１０ａと図１０において左端のカード接触用コンタクト１１の取付部１１ａの間及びカード接触用コンタクト１１のそれぞれの取付部１１ａの間には、隣接する取付部を一体に連結する繋ぎ部１２ａが複数形成されると共に、シールド用コンタクト１０のそれぞれの取付部１０ａとフープ材１２の間には、一体に連結された２本のシールド用コンタクト１０及び９本のカード接触用コンタクト１１（コンタクト郡）をフープ材（キャリア）１２に一体に連結する繋ぎ部１２ｂが複数形成されている。
【００２８】
また、図１０において左側のシールド用コンタクト１０の取付部１０ａと９本のカード接触用コンタクト１１のそれぞれの取付部１１ａには、その一端側に外部接続端子４ｆが一体に連続形成されて、一体に連結された２本のシールド用コンタクト１０及び９本のカード接触用コンタクト１１（コンタクト郡）の一端側に外部接続端子４ｆが複数（１０本）並列に配置されている。なお、図１０において右端の外部接続端子４ｆは、図１０において右側のシールド用コンタクト１０と図１０において右端のカード接触用コンタクト１１との共通の外部接続端子になっている。
【００２９】
さらに、シールド用コンタクト１０のそれぞれの取付部１０ａには、その他端側に屈曲部が形成され、その屈曲部を荷重を支える支点部１０ｂとして一方（根元）に有し、フープ材１２の厚み方向に弾性変位可能に、支点部１０ｂから傾斜角を持って連続して片持ち梁状に延びる断面略への字形状に形成された板バネ片部１０ｃが形成され、その板バネ片部１０ｃの他方（自由端側）に金属カバー７に接触させる接触部１０ｄが形成されている。
【００３０】
さらに、カード接触用コンタクト１１のそれぞれの取付部１１ａは、その他端側がシールド用コンタクト１０のそれぞれの接触部１０ｄの間まで延ばされ、その先端側に屈曲部が形成され、その屈曲部を荷重を支える第１支点部１１ｂとして一方（根元）に有し、フープ材１２の厚み方向に弾性変位可能に、第１支点部１１ｂから取付部１１ａとの間に段差を持って連続して片持ち梁状に延びる形状に形成された第１板バネ片部１１ｃが形成されると共に、その第１板バネ片部１１ｃを部分的に切り起こすことによって、その第１板バネ片部１１ｃの他方（自由端側）に形成される屈曲部を荷重を支える第２支点部１１ｄとして一方（根元）に有し、フープ材１２の厚み方向に弾性変位可能に、第２支点部１１ｄから傾斜角を持って第１板バネ片部１１ｃとは逆方向に連続して片持ち梁状に延びる断面略への字形状に形成された第２板バネ片部１１ｅが形成され、その第２板バネ片部１１ｄの他方（自由端側）に小型カード１の対応する接触パッド２に接触させる接触部１１ｆが形成されている。
【００３１】
上記のようにフープ材（キャリア）１２に打抜き加工で一体に連結された状態で成形された２本のシールド用コンタクト１０及び９本のカード接触用コンタクト１１（コンタクト郡）は、次に、インサート成型により、シールド用コンタクト１０及びカード接触用コンタクト１１のそれぞれの取付部１０ａ，１１ａが絶縁性の合成樹脂で一体的にモールドされて、そのモールド樹脂によって成形されたインシュレータ９と一体化される。
【００３２】
インシュレータ９は、下ケース５のインシュレータ装着部５ｅに嵌合させるように、略矩形板状に形成されており、下ケース５の外部接続用端子装着部５ｄの後端部側（インシュレータ装着部５ｅの前端部側）に位置する平坦面でなる前端部９ａと、下ケース５のコンタクト装着部５ｊ，５ｍのそれぞれの前端部側に位置する後端部の両端部９ｂ，９ｃ及びその後端部の両端部９ｂ，９ｃの間から後側に突出して下ケース５のストッパー部５ｈ，５ｋの間に位置する後端部の中央部９ｂとを有する段付きの後端部とを備えている。また、後端部の中央部９ｂ側の上面には、金属カバー７の前端縁部の係合片７ｆを嵌合させる係合溝９ｅが形成されている。さらに、モールド部には、シールド用コンタクト１０とカード接触用コンタクト１１のそれぞれの繋ぎ部１２ａをインシュレータ９の上下面に露出させる上下貫通の抜き孔９ｆが複数形成されている。
【００３３】
上記のようにフープ材（キャリア）１２に一体に連結された状態でインサート成型された２本のシールド用コンタクト１０及び９本のカード接触用コンタクト１１（コンタクト郡）は、次に、打抜き加工により、インシュレータ９の抜き孔９ｆのそれぞれに工具を通してシールド用コンタクト１０とカード接触用コンタクト１１のそれぞれの繋ぎ部１２ａを切断し、一体に連結された状態の２本のシールド用コンタクト１０及び９本のカード接触用コンタクト１１を個別に分離する。また、それと同時にインシュレータ９の左右両側縁部から突出しているフープ材（キャリア）１２との繋ぎ部１２ｂも切断し、フープ材（キャリア）１２からも分離することによって、図５，図８，図９に示すように、本実施形態のカードアダプタ３に備えるコンタクト郡、即ち絶縁性の合成樹脂からなるインシュレータ９に一体的に保持された２本のシールド用コンタクト１０及び９本のカード接触用コンタクト１１を有する電気接続部品として完成する。
【００３４】
インシュレータ９に一体的に保持された２本のシールド用コンタクト１０及び９本のカード接触用コンタクト１１は、それぞれの取付部１０ａ，１１ａがインシュレータ９内に埋設され、それぞれの外部接続用端子４ｆがインシュレータ９の前端部９ａの側面から前側に長さを揃えて並列に突出されている。また、シールド用コンタクト１０のそれぞれの支点部１０ｂとそれより先の板バネ片部１０ｃ，接触部１０ｄは、インシュレータ９の後端部の両端部９ｂ，９ｃのそれぞれの側面から後側に並行に突出されている。さらに、カード接触用コンタクト１１のそれぞれの第１支点部１１ｂとそれより先の第１板バネ片部１１ｃ，第２支点部１１ｄ，第２板バネ片部１１ｅ，接触部１１ｆは、インシュレータ９の後端部の中央部９ｄの側面から後側に並列に突出されている。
【００３５】
また、図５に示すように、本実施形態のカードアダプタ３を組立てる際に、インシュレータ９を下ケース５のインシュレータ装着部５ｅに装着することにより、インシュレータ９（シールド用コンタクト１０及びカード接触用コンタクト１１のそれぞれの取付部１０ａ，１１ａ）がインシュレータ装着部５ｅに位置決めされて支持される。また、外部接続用端子装着部５ｄの後端部側の側面になるインシュレータ９の前端部９ａ側の側面から前側へ並列に突出しているシールド用コンタクト１０及びカード接触用コンタクト１１のそれぞれの外部接続用端子４ｆが、外部接続用端子装着部５ｄに外部接続用端子露出孔５ｇのそれぞれの上で位置決めされて支持される。さらに、インシュレータ９の後端部の両端部９ｂ，９ｃ側のそれぞれの側面から後側へ並行に突出しているシールド用コンタクト１０のそれぞれの支点部１０ｂとそれより先の板バネ片部１０ｃ，接触部１０ｄが、コンタクト装着部５ｊ，５ｍ内に収納配置される。また、カード挿入空間５ｆの前端部側（奥側）の側面になるインシュレータ９の後端部の中央部９ｄ側の側面から後側へ並列に突出しているカード接触用コンタクト１１のそれぞれの第１支点部１１ｂとそれより先の第１板バネ片部１１ｃ，第２支点部１１ｄ，第２板バネ片部１１ｅ，接触部１１ｆとともにカード挿入空間５ｆ内の前端部側（奥側）に収納配置される。
【００３６】
さらに、図８，図９に示すように、本実施形態のカードアダプタ３の組立て最終段階で、樹脂カバー６と金属カバー７からなる２ピース構造の上ケースを下ケース５上部に固定してアダプタ本体４を形成することにより、インシュレータ９とシールド用コンタクト１０及びカード接触用コンタクト１１のそれぞれの外部接続用端子４ｆは、それらの上部が樹脂カバー６で押えられて、アダプタ本体４内に固定される。また、図５において左側のシールド用コンタクト１０の接触部１０ｄが金属カバー７の固定片７ａで押えられて接触し、図５において右側のシールド用コンタクト１０の接触部１０ｄが金属カバー７で押えられて接触し、シールド用コンタクト１０のそれぞれが金属カバー７を両端の外部接続用端子４ｆに常時導通接続させる。
【００３７】
また、図１１は本発明のコネクタ及びそれを備えるカードアダプタの実施形態に係るカードアダプタに備えるカード接触用コンタクト接触部の変位前の状態を示す部分拡大断面図、図１２は本発明のコネクタ及びそれを備えるカードアダプタの実施形態に係るカードアダプタに備えるカード接触用コンタクト接触部の変位後の状態を示す部分拡大断面図である。図１１，図１２に示すように、カード挿入空間５ｆの底面前端部側（奥側）に複数並設されているコンタクト収容溝５ｎのそれぞれには、その深さが前端部側から後端部側に向かって漸次深くなるように傾斜した底面５ｐを設けている。そして、カード接触用コンタクト１１のそれぞれの第１板バネ片部１１ｃは、その一方（根元）に有する第１支点部１１ｂを形成している屈曲部によってインシュレータ９の後端部の中央部９ｄ側の側面から対応するコンタクト収容溝５ｎ内まで下げられて、第１支点部１１ｂをコンタクト収容溝５ｎの底面５ｐ前端部側に当接させた状態で、コンタクト収容溝５ｎ内においてその前端部側から後端部側に向かって連続して片持ち梁状に略水平に延ばされている。これにより、第１支点部１１ｂから先の第１板バネ片部１１ｃがコンタクト収容溝５ｎの底面５ｐから漸次離反し、その第１支点部１１ｂから先の第１板バネ片部１１ｃとコンタクト収容溝５ｎの底面５ｐとの間に、第１板バネ片部１１ｃの他方（自由端側）に行くに連れて漸次大きくなる隙間１３を形成している。即ちカード接触用コンタクト１１のそれぞれの第１板バネ片部１１ｃは、その一方に有する第１支点部１１ｂを支点に上下方向（小型カード１の厚み方向）に弾性変位可能に、カード挿入空間５ｆの底面前端部側（奥側）に複数並設されたコンタクト収容溝５ｎ内に配置されて、第１支点部１１ｂからカード挿入方向とは逆方向に連続して片持ち梁状に略水平に延ばされている。したがって、カード接触用コンタクト１１のそれぞれの第１板バネ片部１１ｃは、その一方に有する第１支点部１１ｂからカード挿入方向とは逆方向に連続して延びる単純な片持ち梁形状に形成される対向型であるものの、カード挿入空間５ｆへ挿入される小型カード１による座屈の危険性がない。
【００３８】
また、カード接触用コンタクト１１のそれぞれの第１板バネ片部１１ｃには、その自由端部上側の角部に面取りを施してテーパ部１１ｇを形成する一方、コンタクト収容溝５ｎのそれぞれの後端部側の溝壁上部には、第１板バネ片部１１ｃのテーパ部１１ｇと対面するテーパ部５ｎ−１を下側に有するコンタクト浮き上がり防止用の押え部５ｎー２がコンタクト収容溝５ｎの前端部側に向かって突出形成され、コンタクト収容溝５ｎのそれぞれの後端部側を袋状に形成している。これにより、カード接触用コンタクト１１のそれぞれの第１板バネ片部１１ｃの自由端部は、コンタクト収容溝５ｎのそれぞれの後端部側の袋状部に収容され、カード接触用コンタクト１１作製時のバラツキを吸収しながら、カード挿入空間５ｆへの浮き上がりが押え部５ｎー２によって防止されるため、カード挿入空間５ｆへ挿入される小型カード１の前端部１ｃと突き合い接触することがない。即ちカード接触用コンタクト１１のそれぞれの第１板バネ片部１１ｃの、カード挿入空間５ｆへ挿入される小型カード１による座屈の危険性をより確実になくす構造になっている。
【００３９】
さらに、カード接触用コンタクト１１のそれぞれの第２板バネ片部１１ｅは、コンタクト収容溝５ｎの後端部側に位置する第１板バネ片部１１ｃの他方を第２支点部１１ｄとして一方に有し、その第２支点部１１ｄから前斜め上方に連続して片持ち梁状に延ばされて、第２支点部１１ｄを支点に上下方向（小型カード１の厚み方向）に弾性変位可能に、カード挿入空間５ｆの前端部側（奥側）に前高後低の傾斜状態で並列に突出配置され、その他方（自由端側）に有する接触部１１ｆをカード挿入空間５ｆに挿入された小型カード１の対応する接触パッド２に接触させるようになっている。したがって、カード挿入空間５ｆに配置して、カード挿入空間５ｆに挿入された小型カード１の接触パッド２に接触させる第２板バネ片部１１ｅは、その一方に有する第２支点部１１ｄから傾斜角を持ってカード挿入方向（順方向）に連続して片持ち梁状に延びる非対向型になるため、カード挿入空間５ｆへ挿入される小型カード１による座屈の危険性がない。
【００４０】
上記のように構成された本実施形態のカードアダプタ３に小型カード１を装着する際には、小型カード１の接触パッド２が並設された裏面（片主面）をアダプタ本体４の下ケース５側に位置させた状態で、小型カード１をその前端部１ｃからアダプタ本体４のカード挿入口４ｇを通してカード挿入空間５ｆに正規挿入すると、カード挿入空間５ｆの一側縁部には、ロックバネ装着部５ｑに装着されたロックバネ８の係合部８ａが突出されているので、小型カード１は、その凹部１ｉが形成された段部１ｆ側の側縁部で、ロックバネ８の係合部８ａを外側に押圧し、ロックバネ８を外側に撓み変形させながら、その係合部８ａをロックバネ装着部５ｑ内に退入させた状態で、カード挿入空間５ｆの前端部側（奥側）に向かって挿入される。続いて小型カード１を挿入すると、小型カード１の前端部１ｃがアダプタ本体４の下ケース５に形成されたストッパー部５ｈ，５ｋに突き当たり、その時点で、小型カード１の挿入が規制されると共に、小型カード１の凹部１ｉにロックバネ８の係合部８ａが対向し、ロックバネ８の弾性力によりその係合部８ａが復帰して小型カード１の凹部１ｉに係合する。これにより、図２，図３，図７に示すように、小型カード１がアダプタ本体４のカード挿入空間５ｆに完全挿入されると共に、その小型カード１の不用意な脱落がロックバネ８により防止される。
【００４１】
また、小型カード１をアダプタ本体４のカード挿入空間５ｆに正規挿入すると、カード挿入空間５ｆの底面前端部側（奥側）に複数並設されているコンタクト収容溝５ｎ内には、カード接触用コンタクト１１のそれぞれの第１板バネ片部１１ｃが、その一方（根元）に有する第１支点部１１ｂをコンタクト収容溝５ｎの底面５ｐ前端部側に当接させ、その第１支点部１１ｂから先の第１板バネ片部１１ｃとコンタクト収容溝５ｎの底面５ｐとの間に、第１板バネ片部１１ｃの他方（自由端側）に行くに連れて漸次大きくなる隙間１３を形成した状態で、第１支点部１１ｂからカード挿入方向とは逆方向に連続して片持ち梁状に略水平に延ばされていると共に、カード挿入空間５ｆの前端部側（奥側）には、コンタクト収容溝５ｎのそれぞれの後端部側に位置する第１板バネ片部１１ｃの他方を第２支点部１１ｄとして一方に有する第２板バネ片部１１ｅが、その第２支点部１１ｄから前斜め上方に連続して片持ち梁状に延ばされて、前高後低の傾斜状態で並列に突出配置されているので、図１１に示すように、小型カード１は、その前端部１ｃ下側でカード接触用コンタクト１１のそれぞれの第２板バネ片部１１ｅの傾斜表面を接触後に摺動して押し下げる。これにより、カード接触用コンタクト１１のそれぞれの第１板バネ片部１１ｃが、コンタクト収容溝５ｎの底面５ｐ前端部側に当接している第１支点部１１ｂを支点に下側に撓み変形して、コンタクト収容溝５ｎの底面５ｐに当接した後、カード接触用コンタクト１１のそれぞれの第２板バネ片部１１ｅが、コンタクト収容溝５ｎの底面５ｐ後端部側に当接している第２支点部１１ｄを支点に下側に撓み変形する。続いて小型カード１を挿入すると、図１２に示すように、小型カード１の前端部１ｃ下側がカード接触用コンタクト１１のそれぞれの接点部１１を通過して、小型カード１がカード接触用コンタクト１１のそれぞれの撓み変形した第１板バネ片部１１ｃ及び第２板バネ片部１１ｅに乗り上がり、カード接触用コンタクト１１のそれぞれの接点部１１ｆが第１板バネ片部１１ｃ及び第２板バネ片部１１ｅの弾性力により小型カード１の裏面（片主面）に並設された接触パッド２に下側から押し付いて接触する。これにより、アダプタ本体４のカード挿入空間５ｆに完全挿入された小型カード１のそれぞれの接触パッド２がカード接触用コンタクト１１により対応する外部接続用端子４ｆに導通接続される。また、カード接触用コンタクト１１の第１板バネ片部１１ｃ及び第２板バネ片部１１ｅは、小型カード１をアダプタ本体４のカード挿入空間５ｆから抜き去り、小型カード１による押し下げが解除されることにより、第２板バネ片部１１ｅがその弾性力により第２支点部１１ｄを支点に元の形状に復帰した後、第１板バネ片部１１ｃが元の形状に復帰し、図１１に示す自由状態に復帰する。
【００４２】
上記のように小型カード１を装着した本実施形態のカードアダプタ３を、大型カードに対応しているカードコネクタに正規挿入して装着することにより、アダプタ本体４の外部接続用端子４ｆのそれぞれがカードコネクタのカード挿入空間に並設された複数のコンタクトに接触して、小型カード１と大型カードに対応している例えば携帯電話等の電子機器（大型カードに対応しているカードコネクタをプリント回路基板に実装した電子機器）とが電気的に接続され、それらの間で信号伝送を行うことができ、小型カード１を大型カードに対応している電子機器で使用することができる。
【００４３】
以上から明らかなように、本実施形態のカードアダプタ３は、カード挿入空間５ｆに配置して、カード１の片主面に設けられた接触パッド２に接触させるカード接触用コンタクト１１であって、一方に第１支点部１１ｂを有する第１板バネ片部１１ｃが、カード厚み方向に弾性変位可能に第１支点部１１ｂからカード挿入方向とは逆方向に片持ち梁状に延び、その第１板バネ片部１１ｃの他方を第２支点部１１ｄとして一方に有する第２板バネ片部１１ｅが、カード厚み方向に弾性変位可能に第２支点部１１ｄから傾斜角を持ってカード挿入方向に片持ち梁状に延びる形状に形成され、その第２板バネ片部１１ｅの他方をカード１の接触パッド２に接触させるカード接触用コンタクト１１を備えると共に、カード挿入空間５ｆを形成するケース体５，６，７が、カード挿入空間５ｆに挿入するカード１よりも大型の他のカードの外形形状を備えるアダプタ本体４を構成している。
【００４４】
そして、カード接触用コンタクト１１を上記のような形状に形成することにより、カード１の接触パッド２に接触させる板バネ片部（第２板バネ片部１１ｅ）がその支点部（第２支点部１１ｄ）から傾斜角を持ってカード挿入方向（順方向）に片持ち梁状に延びる非対向型になるため、カード１挿入による座屈の危険性がなく、コンタクト１１の変位量を増減することで、接触圧を増減できる。よって、コンタクト１１のバネ定数を大きくしなくても十分な接触圧を確保することができ、適正な接触圧を得ることのできる変位量の範囲が狭くならず（図１８参照）、接触部１１ｆの位置を厳密に管理してバラツキを抑える必要もなくなる。したがって、コンタクト１１の安定した接触圧を容易に確保することができる。また、構造的に２箇所（第１板バネ片部１１ｃの第１支点部１１ｂと第２板バネ片部１１ｅの第２支点部１１ｄ）に応力を分散することができるのに加え、発生する応力もバネ定数を大きくしないことで小さく抑えることができ、このような応力緩和によりコンタクト１１の寿命を延ばすことがでる。
【００４５】
また、第２板バネ片部１１ｅは、第１板バネ片部１１ｃの他方から折り返し状に形成することもできるが、第１板バネ片部１１ｃを部分的に切り起こして形成することにより、第２板バネ片部１１ｅを第１板バネ片部１１ｃの他方から折返部（曲げ半径）を介することなく直接、傾斜角を持ってカード挿入方向（順方向）に片持ち梁状に延ばすことができ、より大きなコンタクト１１の変位量を得ることができるようになり、コンタクト１１の安定した接触圧がより確保し易くなる。
【００４６】
したがって、本実施形態のカードアダプタ３は、それに備えるカード接触用のコンタクト１１に安定した接触圧と高寿命を容易に確保することができる。
【００４７】
なお、本実施形態のカードアダプタ３では、図５において左右両端の２本の外部接続用端子４ｆ（２本のシールド用コンタクト１０及び図５において右端のカード接触用コンタクト１１）がグランド用であり、これら２本の外部接続用端子４ｆのそれぞれを個別に分離したものを示したが、これら２本の外部接続用端子４ｆは、連続一体に成形して導通接続し（短絡）たり、別部品としての導電部材を用いて導通接続（短絡）しても良い。
【００４８】
次に、本発明のコネクタ及びそれを備えるカードコネクタの実施形態を図１３〜図１７を参照して説明する。本実施形態では、１の規格のメモリカード、例えばｍｉｃｒｏＳＤカード（以下、「第３カード」という。）に対応しているカードコネクタに、本発明を適用した場合について説明する。
【００４９】
図１３は本発明のコネクタ及びそれを備えるカードコネクタの実施形態に係るカードコネクタを使用する第３カードの（Ａ）表面図、（Ｂ）側面図、（Ｃ）裏面図である。図１３に示すように、第３カード２１は、この第３カード２１をそれより大型のカードに対応しているカードコネクタに接続するためのカードアダプタや本実施形態のカードコネクタへの挿入時に、前側に位置し、下側にテーパ部２１ａを有する前端部２１ｂと、後側に位置し、平坦面からなる後端部２１ｃとを備えている。また、図１３の（Ａ）において右側縁部の前端部２１ｂ側には、この第３カード２１をそれより大型のカードに対応しているカードコネクタに接続するためのカードアダプタや本実施形態のカードコネクタへの前後逆の誤挿入及び表裏逆の誤挿入を防止するための切欠部２１ｄを有し、この誤挿入防止用の切欠部２１ｄより後端部２１ｃ側には、この第３カード２１をそれより大型のカードに対応しているカードコネクタに接続するためのカードアダプタや本実施形態のカードコネクタへの挿入時に、第３カード２１をカードアダプタやカードコネクタの装着位置に保持するための切欠部２１ｅが形成されている。さらに、裏面（片主面）の前端部２１ｄ側には、外部接続用の接触パッド２２が複数（８本）並設されている。
【００５０】
図１４は本発明のコネクタ及びそれを備えるカードコネクタの実施形態に係るカードコネクタの外観を示す斜視図、図１５は本発明のコネクタ及びそれを備えるカードコネクタの実施形態に係るカードコネクタの上ケースを除去した状態の斜視図、図１６は本発明のコネクタ及びそれを備えるカードコネクタの実施形態に係るカードコネクタに備えるカード接触用コンタクトの外観を示す斜視図である。図１４，図１５に示すように、本実施形態のカードコネクタ２３は、電子機器の筺体に設けるカード挿入口部に位置する前端部２５ａとその反対側の後端部２５ｂを備え、第３カード２１をその接触パッド２２が並設された裏面を下にして前端部２１ｂから挿入するカード挿入口２４を前端部２５ａ側の側面に開口した箱形状のコネクタハウジング２５と、コネクタハウジング２５に内蔵され、第３カード２１の接触パッド２２のそれぞれに接触させて電子機器のプリント回路基板に電気的に導通接続させるための本発明に係る複数（８本）のカード接触用コンタクト２６と、コネクタハウジング２５に内蔵され、電子機器側において第３カード２１の装着を電気的に検出するための一対の金属片で形成される図示しないカード認識スイッチと、コネクタハウジング２５に内蔵され、第３カード２１による１回目の押し込み操作によって第３カード２１をコネクタハウジング２５内の決められた位置に保持して装着させると共に、第３カード２１による２回目の押し込み操作によってコネクタハウジング２５に装着された第３カード２１を排出するプッシュ／プッシュ型のカード排出機構２７とから構成されている。
【００５１】
コネクタハウジング２５は、カード挿入口２５の奥側（後側）の内部空間が、カード接触用コンタクト２６及びカード認識スイッチを配置するカード挿入空間２８になり、このカード挿入空間２８右側の内部空間が、カード排出機構２７の配置スペースになっている。このようなコネクタハウジング２５は、カード接触用コンタクト２６のそれぞれ及びカード認識スイッチ用の一対の金属片等の導電部材体を取り付ける絶縁性の合成樹脂からなる下ケース２９と、下ケース２９に上方から被着して静電破壊対策やノイズ対策を施す金属板を打ち抜き及び曲げ加工して形成した上ケース３０とから構成されている。
【００５２】
下ケース２９は、ハウジング底壁２９ａと、ハウジング右側壁２９ｂと、ハウジング後側壁２９ｃと、カード挿入口２４右側のハウジング前側壁２９ｄとを一体的に形成してなり、ハウジング底壁２９ａの左側端面及びハウジング右側壁２９ｂの外面には、上ケース３０と結合するために位置決め用の係合部２９ｅ及び複数の固定用の係合部２９ｆを外側方へ突出して設けている。また、第３カード１の接触パッド２２が並設された裏面に対向するカード挿入空間２８の底面には、その後端部側（奥側）にカード接触用コンタクト２６のそれぞれに対応して前後方向（カード挿抜方向）に延びる細幅のコンタクト収容溝２９ｇが複数（８本）並設されている。さらに、カード排出機構２７の配置スペースの前端部側及び後端部側には、カード排出機構２７のスライド部材を受け止める前側ストッパー部２９ｈ及び後側ストッパー部２９ｉが設けられ、この前側ストッパー部２９ｈの厚み内には、カード排出機構２７のカムピンを支持するための軸受け部２９ｊが設けられている。また、ハウジング前側壁２９ｄの端部には、カード排出機構２７の第３カード２１に対するロックバネの係合部を係止させる復帰側のストッパー部２９ｋが設けられている。
【００５３】
コンタクト収容溝２９ｇのそれぞれは、後端部側がハウジング後側壁２９ｃを貫通してその外面に開放されている。また、コンタクト収容溝２９ｇのそれぞれには、その深さが後端部側から前端部側に向かって漸次深くなるように傾斜した底面を設けている。
【００５４】
上ケース３０は、ハウジング天板３０ａと、ハウジング左側壁３０ｂと、下ケース２９のハウジング右側壁２９ｂ外面を覆うハウジング右側壁カバー３０ｃとを一体的に形成してなり、そのハウジング左側壁３０ｂ及びハウジング右側壁カバー３０ｃには、下ケース２９側の位置決め用の係合部２９ｅのそれぞれに嵌合させる位置決め用の係合凹部３０ｄ及び下ケース２９側の固定用の係合部２９ｆのそれぞれを嵌合させる複数の固定用の係合孔３０ｅを設けている。また、ハウジング左側壁３０ｂ及びハウジング右側壁カバー３０ｃのそれぞれには、その下縁部の前後端部から外側に向かって略水平に突出させるように折り曲げ形成されたコネクタ実装用の端子部３０ｆが設けられている。さらに、ハウジング天板３０ａには、カード排出機構２７のカムピンを常時下方に押圧するための可撓性を持った片持ち梁状の板バネ片３０ｇが切り起こし形成されている。
【００５５】
カード接触用コンタクト２６のそれぞれは、良導電性を持ったバネ材料からなるフープ材に打抜き加工で並列に一体に連結した状態で成形される。図１６に示すように、カード接触用コンタクト２６のそれぞれには、その後端部側に下ケース２９への取付部２６ａが形成されている。また、カード接触用コンタクト２６のそれぞれの取付部２６ａには、その後端部側に屈曲部２６ｂを介して一段下げた位置より連続して後方へ略水平に延ばす外部接続用端子２６ｃが形成されている。さらに、カード接触用コンタクト２６のそれぞれには、その取付部２６ａの前端部側を荷重を支える第１支点部２６ｄとして一方（根元）に有し、フープ材の厚み方向に弾性変位可能に、第１支点部２６ｄから前方に連続して片持ち梁状に延びる形状に形成された第１板バネ片部２６ｅが形成されると共に、その第１板バネ片部２６ｅを部分的に切り起こすことによって、その第１板バネ片部２６ｅの他方（自由端側）に形成される屈曲部を荷重を支える第２支点部２６ｆとして一方（根元）に有し、フープ材の厚み方向に弾性変位可能に、第２支点部２６ｆから傾斜角を持って第１板バネ片部２６ｅとは逆方向（後方）に連続して片持ち梁状に延びる断面略への字形状に形成された第２板バネ片部２６ｇが形成され、その第２板バネ片部２６ｇの他方（自由端側）に第３カード２１の対応する接触パッド２２に接触させる接触部２６ｈが形成されている。また、成形状態では、カード接触用コンタクト２６のそれぞれの外部接続用端子２６ｃが繋ぎ部によって一体に連結されると共に、その繋ぎ部が複数の繋ぎ片によりフープ材（キャリア）に一体に連結されて、８本のカード接触用コンタクト２６がフープ材に並列に一体に連結されている。
【００５６】
上記のようにフープ材（キャリア）に打抜き加工で一体に連結された状態で成形された８本のカード接触用コンタクト２６（コンタクト郡）は、繋ぎ片を切断してフープ材（キャリア）から分離し、カード接触用コンタクト２６のそれぞれの第１板バネ片部２６ｅの他方（自由端側）を下ケース２９の後側から対応するコンタクト収容溝２９ｇに差し込み、カード接触用コンタクト２６のそれぞれの取付部２６ａをケース２９のハウジング後側壁２９ｃに圧入固定した後、繋ぎ部を切断することにより、８本のカード接触用コンタクト２６を個別に分離した状態で下ケース２９に装着される。
【００５７】
図１５に示すように、装着状態のカード接触用コンタクト２６のそれぞれは、外部接続用端子２６ｃが屈曲部２６ｂを介して下ケース２９の下部まで下げられてハウジング後側壁２９ｃの外面から後側へ並列に突出固定されている。
【００５８】
また、カード接触用コンタクト２６のそれぞれの第１板バネ片部２６ｅは、その一方（根元）に有する第１支点部１１ｂをコンタクト収容溝２９ｇの底面後端部側に当接させた状態で、コンタクト収容溝２９ｇ内においてその後端部側から前端部側に向かって連続して片持ち梁状に略水平に延ばされている。これにより、第１支点部２６ｄから先の第１板バネ片部２６ｅがコンタクト収容溝２９ｇの底面から漸次離反し、その第１支点部２６ｄから先の第１板バネ片部２６ｅとコンタクト収容溝２９ｇの底面との間に、第１板バネ片部２６ｅの他方（自由端側）に行くに連れて漸次大きくなる隙間を形成している。即ちカード接触用コンタクト２６のそれぞれの第１板バネ片部２６ｅは、その一方に有する第１支点部２６ｄを支点に上下方向（第３カード２１の厚み方向）に弾性変位可能に、カード挿入空間２８の底面後端部側（奥側）に複数並設されたコンタクト収容溝２９ｇ内に配置されて、第１支点部２６ｄからカード挿入方向とは逆方向に連続して片持ち梁状に略水平に延ばされている。したがって、カード接触用コンタクト２６のそれぞれの第１板バネ片部２６ｅは、その一方に有する第１支点部２６ｄからカード挿入方向とは逆方向に連続して延びる単純な片持ち梁形状に形成される対向型であるものの、カード挿入空間２８へ挿入される第３カード２１による座屈の危険性がない。
【００５９】
また、カード接触用コンタクト２６のそれぞれの第１板バネ片部２６ｅには、その自由端部上側の角部に面取りを施してテーパ部を形成する一方、コンタクト収容溝２９ｇのそれぞれの前端部側の溝壁上部には、第１板バネ片部２６ｅのテーパ部と対面するテーパ部を下側に有するコンタクト浮き上がり防止用の押え部をコンタクト収容溝２９ｇの後端部側に向かって突出形成し、コンタクト収容溝２９ｇのそれぞれの前端部側を袋状に形成している。これにより、カード接触用コンタクト２６のそれぞれの第１板バネ片部２６ｅの自由端部は、コンタクト収容溝２９ｇのそれぞれの前端部側の袋状部に収容され、カード接触用コンタクト２６作製時のバラツキを吸収しながら、カード挿入空間２８への浮き上がりが押え部によって防止されるため、カード挿入空間２８へ挿入される第３カード２１の前端部２１ｂと突き合い接触することがない。即ちカード接触用コンタクト２６のそれぞれの第１板バネ片部２６ｅの、カード挿入空間２８へ挿入される第３カード２１による座屈の危険性をより確実になくす構造になっている。
【００６０】
さらに、カード接触用コンタクト２６のそれぞれの第２板バネ片部２６ｇは、コンタクト収容溝２９ｇの前端部側に位置する第１板バネ片部２６ｅの他方を第２支点部２６ｆとして一方に有し、その第２支点部２６ｆから後斜め上方に連続して片持ち梁状に延ばされて、第２支点部２６ｆを支点に上下方向（小型カード１の厚み方向）に弾性変位可能に、カード挿入空間２８の後端部側（奥側）に前低後高の傾斜状態で並列に突出配置され、その他方（自由端側）に有する接触部２６ｈをカード挿入空間２８に挿入された第３カード２１の対応する接触パッド２２に接触させるようになっている。したがって、カード挿入空間２８に配置して、カード挿入空間２８に挿入された第３カード２１の接触パッド２２に接触させる第２板バネ片部２６ｇは、その一方に有する第２支点部２６ｆから傾斜角を持ってカード挿入方向（順方向）に連続して片持ち梁状に延びる非対向型になるため、カード挿入空間２８へ挿入される第３カード２１による座屈の危険性がない。
【００６１】
図１５に示すように、プッシュ／プッシュ型のカード排出機構２７は、スライド部材３１と、このスライド部材３１の付勢部材であるコイルバネ３２と、ハート状のカム溝３３及びカムピン３４から形成されるスライド部材３１の位置保持機構と、第３カード２１をスライド部材３１に係合保持させるロックバネ３５とから構成されている。
【００６２】
スライド部材３１は、絶縁性の合成樹脂からなり、ハウジング２５内のカード排出機構２７の配置スペースに、前側ストッパー部２９ｈと後側ストッパー部２９ｉとの間でハウジング右側壁２９ｂに沿って前後方向（カード挿抜方向）に往復移動自在に配置されている。また、スライド部材３１には、カード挿入空間２８の左側に張り出して、カード挿入時に、第３カード２１の誤挿入防止用の切欠部２１ｄに嵌合する張出部３１ａと、第３カード２１によりスライド部材３１を奥側に押し込むために、第３カード２１の前端部２１ｂに当接するよう張出部３１ａの後部からカード挿入空間２８に突出した操作部３１ｂと、位置保持機構のハート状のカム溝３３と、ロックバネ３５を取り付けるためのスリット溝３１ｃとを一体に形成している。
【００６３】
コイルバネ３２は、スライド部材３１と後側ストッパー部２９ｉとの間に配置され、スライド部材３１を前側（カード排出方向）に常時付勢している。
【００６４】
位置決め機構のカムピン３４は、コの字形に曲げた細い金属の丸棒からなり、一端をスライド部材３１に形成したカム溝３２の底部に略直角に接するようにし、他端を下ケース２９に設けた軸受け部２９ｊに回転自在に支持して、カム溝３３内をスライド部材３１の動きに合わせて移動させる。また、カムピン３４は、上ケース３０に設けた板バネ片３０ｇにより常時下方に押圧され、一端がカム溝３４に略直角に押し付けられ、他端が軸受け部２９ｊ内に押し込まれている。
【００６５】
ロックバネ３５は、金属板バネからなり、その一端部には、金属板バネを長さ方向に沿って山形に曲げてなる係合部３５ａが設けられている。このようなロックバネ３５は、スライド部材３１のスリット溝３１ｃに上方から圧入することにより、ロックバネ３５の一方がスリット溝３１ｃを介してスライド部材３１に固定され、その固定部から前側に向かって延出される他方がスライド部材３１の前側にカード横幅方向に弾性変位可能に突出される。また、ロックバネ３５の他方に設けられている係合部３５ａは、スライド部材３１の張出部３１ａの手前側でカード横幅方向に弾性変位可能に突出されている。
【００６６】
上記のように構成された本実施形態のカードコネクタ２３は、例えば携帯電話等の電子機器の筺体に内蔵されるプリント回路基板に、上ケース３０の端子部３０ｆのそれぞれと、カード接触用コンタクト２６のそれぞれの外部接続用端子２６ｃと、カード認識スイッチを形成する一対の金属片の外部接続端子のそれぞれとを、半田付けにより機械的に固定、電気的に接続して表面実装することにより、使用することができる。
【００６７】
図１７は本発明のコネクタ及びそれを備えるカードコネクタの実施形態に係るカードコネクタのカード装着状態を示す平面図である。上記のように構成された本実施形態のカードコネクタ２３に第３カード２１を装着する際には、第３カード２１の接触パッド２２が並設された裏面（片主面）を下ケース２９側に位置させた状態で、第３カード２１をその前端部２１ｂからコネクタハウジング２５のカード挿入口２４を通してカード挿入空間２８に正規挿入すると、第３カード２１は、この第３カード２１の誤挿入防止用の切欠部２１ｄにスライド部材３１の張出部３１ａを嵌合しながら、ハウジング左側壁３０ｂとスライド部材３１との間に嵌め込まれ、第３カード２１の前端部２１ｂがスライド部材３１の操作部３１ｂに当接する。また、このような第３カード２１の正規挿入に伴い、第３カード２１の誤挿入防止用の切欠部２１ｄがスライド部材３１に取り付けたロックバネ３５の係合部３５ａを通過する際、その係合部３５ａは、切欠部２１ｄの側面に摺接してロックバネ３５の外側（右側）への撓みを伴って第３カード２１の誤挿入防止用の切欠部２１ｄとロック用の切欠部２１ｅとの間の側縁部に乗り上がった後、第３カード２１の前端部２１ｂがスライド部材３１の操作部３１ｂに当接するのと略同時に、第３カード２１のロック用の切欠部２１ｅに対向して、ロックバネ３５の弾性力により第３カード２１のロック用の切欠部２１ｅに嵌り込む。これにより、第３カード２１とスライド部材３１がカード挿抜方向で係合連結される。
【００６８】
続いて第３カード２１を挿入すると、第３カード２１は、その前端部２１ｂによってスライド部材３１の操作部３１ｂを後側へ押し、スライド部材３１をコイルバネ３２の弾性力に抗して後側へと押し込んで、後側ストッパー部２９ｉに突き当たる最押し込み位置に押し込んで止まる。
【００６９】
この状態から第３カード２１によるスライド部材３１の押し込み力を除き、スライド部材３１を開放すると、スライド部材３１はコイルバネ３２の弾性力により最押込み位置から前側へ押し戻され、これに伴って第３カード２１も前側へ押し戻される。
【００７０】
上記のようなスライド部材３１の初期位置（図１５に示す位置）からの一連の動作により、カムピン３４は、カム溝３３の起点部３３ａから往路３３ｂを通過して起点部３３ａと反対側にある係止部３３ｃに導入係止され、カムピン３４がカム溝３３の係止部３３ｃに係止した時点で、スライド部材３１の前側への移動が規制される。これにより、図１７に示すように、スライド部材３１は、最押込み位置より少し手前側のカード装着位置に保持され、このスライド部材３１とカード挿抜方向で係合連結されている第３カード２１をカード装着位置に保持して、コネクタハウジング２５に装着する。
【００７１】
また、第３カード２１をコネクタハウジング２５のカード挿入空間２８に正規挿入すると、カード挿入空間２８の底面後端部側（奥側）に複数並設されているコンタクト収容溝２９ｇ内には、カード接触用コンタクト２６のそれぞれの第１板バネ片部２６ｅが、その一方（根元）に有する第１支点部２６ｄをコンタクト収容溝２９ｇの底面後端部側に当接させ、その第１支点部２６ｄから先の第１板バネ片部２６ｅとコンタクト収容溝２９ｇの底面との間に、第１板バネ片部２６ｅの他方（自由端側）に行くに連れて漸次大きくなる隙間を形成した状態で、第１支点部２６ｄからカード挿入方向とは逆方向に連続して片持ち梁状に略水平に延ばされていると共に、カード挿入空間２８の後端部側（奥側）には、コンタクト収容溝２９ｇのそれぞれの前端部側に位置する第１板バネ片部２６ｅの他方を第２支点部２６ｆとして一方に有する第２板バネ片部２６ｇが、その第２支点部２６ｆから後斜め上方に連続して片持ち梁状に延ばされて、前低後高の傾斜状態で並列に突出配置されているので、第３カード１は、その前端部２１ｂ下側でカード接触用コンタクト２６のそれぞれの第２板バネ片部２６ｇの傾斜表面を接触後に摺動して押し下げる。これにより、カード接触用コンタクト２６のそれぞれの第１板バネ片部２６ｅが、コンタクト収容溝２９ｇの底面後端部側に当接している第１支点部２６ｄを支点に下側に撓み変形して、コンタクト収容溝２９ｇの底面に当接した後、カード接触用コンタクト２６のそれぞれの第２板バネ片部２６ｇが、コンタクト収容溝２９ｇの底面前端部側に当接している第２支点部２６ｆを支点に下側に撓み変形する。そして、第３カード２１の前端部２１ｂ下側がカード接触用コンタクト２６のそれぞれの接点部２６ｈを通過して、第３カード２１がカード接触用コンタクト２６のそれぞれの撓み変形した第１板バネ片部２６ｅ及び第２板バネ片部２６ｇに乗り上がり、カード接触用コンタクト２６のそれぞれの接点部２６ｈが第１板バネ片部２６ｅ及び第２板バネ片部２６ｇの弾性力により第３カード２１の裏面（片主面）に並設された接触パッド２２に下側から押し付いて接触する。これにより、コネクタハウジング２５に装着された第３カード２１のそれぞれの接触パッド２２がカード接触用コンタクト２６により、例えば携帯電話等の電子機器（本実施形態のカードコネクタ２３をプリント回路基板に実装した電子機器）とが電気的に接続され、それらの間で信号伝送を行うことができる。なお、本実施形態のカードコネクタ２３における上記のようなカード接触用コンタクト２６のそれぞれの第１板バネ片部２６ｅ及び第２板バネ片部２６ｇの変位動作については、図１１，図１２に示したカードアダプタ３におけるカード接触用コンタクト１１のそれぞれの第１板バネ片部１１ｃ及び第２板バネ片部１１ｅの変位動作と同じであるため、その図示を省略している。
【００７２】
一方、図１７に示したカード装着状態から第３カード２１を押し込み操作すると、第３カード２１は、その前端部２１ｂによりスライド部材３１をカード装着位置から後側（奥側）へと押し込み、後側ストッパー部２９ｉに突き当たる最押し込み位置に再度押し込んで止まる。このスライド部材３１のカード装着位置から最押し込み位置への動作により、カムピン３４は、カム溝３３の係止部３３ｃから離脱して復路３３ｄに導入されて、スライド部材３１の位置保持を解除する。この後、第３カード２１によるスライド部材３１の押し込み力を除き、スライド部材３１を開放すると、スライド部材３０は、コイルバネ３２の弾性力により操作部３１ｂで第３カード２１の前端部２１ｂを前側へ押しながら、最押込み位置から前側へ押し戻されて初期位置に復帰し、第３カード２１を排出する。また、カムピン３４は、カム溝３３の復路３３ｄを通過して起点部３３ａに戻る。さらに、カード接触用コンタクト２６の第１板バネ片部２６ｅ及び第２板バネ片部２６ｇは、カード２１の排出に伴い、第３カード１の前端部２１ｂ下側がカード接触用コンタクト２６のそれぞれの第２板バネ片部２６ｇの傾斜表面から離れた時点で、第３カード２１による押し下げが解除されることにより、第２板バネ片部２６ｇがその弾性力により第２支点部２６ｆを支点に元の形状に復帰した後、第１板バネ片部２６ｅが元の形状に復帰し、自由状態に復帰する。
【００７３】
上記のようにカード排出機構２７により排出された第３カード２１は、カード挿入口１１からハウジング１２の外側に突出しているカード１の後端部２１ｃ側を指で摘んで引っ張ることにより、ロックバネ３５の係合部３５ａは、第３カード２１のロック用の切欠部２１ｅの側面に摺接して、ロックバネ３５の外側（右側）への撓みを伴って第３カード２１のロック用の切欠部２１ｅと誤挿入防止用の切欠部２１ｄとの間の側縁部に乗り上がり、第３カード２１とスライド部材３１のカード挿抜方向での係合連結が解除され、第３カード２１をコネクタハウジング２５からカード挿入口２４を通して抜き去ることができる。そして、第３カード２１の抜き去り後は、図１５に示す状態になる。
【００７４】
以上から明らかなように、本実施形態のカードコネクタ２３は、カード挿入空間２８に配置して、カード２１の片主面に設けられた接触パッド２２に接触させるカード接触用コンタクト２６であって、一方に第１支点部２６ｄを有する第１板バネ片部２６ｅが、カード厚み方向に弾性変位可能に第１支点部２６ｄからカード挿入方向とは逆方向に片持ち梁状に延び、その第１板バネ片部２６ｅの他方を第２支点部２６ｆとして一方に有する第２板バネ片部２６ｇが、カード厚み方向に弾性変位可能に第２支点部２６ｆから傾斜角を持ってカード挿入方向に片持ち梁状に延びる形状に形成され、その第２板バネ片部２６ｇの他方をカード２１の接触パッド２２に接触させるカード接触用コンタクト２６を備えると共に、カード挿入空間２８を形成するケース体が、カード接触用コンタクト２６を取り付ける絶縁性の下ケース２９とその下ケース２９に被着する導電性の上ケース３０とで箱形状を備えるコネクタハウジング２５を構成している。
【００７５】
そして、カード接触用コンタクト２６を上記のような形状に形成することにより、カード２１の接触パッド２２に接触させる板バネ片部（第２板バネ片部２６ｇ）がその支点部（第２支点部２６ｆ）から傾斜角を持ってカード挿入方向（順方向）に片持ち梁状に延びる非対向型になるため、カード２１挿入による座屈の危険性がなく、コンタクト２６の変位量を増減することで、接触圧を増減できる。よって、コンタクト２６のバネ定数を大きくしなくても十分な接触圧を確保することができ、適正な接触圧を得ることのできる変位量の範囲が狭くならず（図１８参照）、接触部２６ｈの位置を厳密に管理してバラツキを抑える必要もなくなる。したがって、コンタクト２６の安定した接触圧を容易に確保することができる。また、構造的に２箇所（第１板バネ片部２６ｅの第１支点部２６ｄと第２板バネ片部２６ｇの第２支点部２６ｆ）に応力を分散することができるのに加え、発生する応力もバネ定数を大きくしないことで小さく抑えることができ、このような応力緩和によりコンタクト２６の寿命を延ばすことがでる。
【００７６】
また、第２板バネ片部２６ｇは、第１板バネ片部２６ｅの他方から折り返し状に形成することもできるが、第１板バネ片部２６ａを部分的に切り起こして形成することにより、第２板バネ片部２６ｇを第１板バネ片部２６ｅの他方から折返部（曲げ半径）を介することなく直接、傾斜角を持ってカード挿入方向（順方向）に片持ち梁状に延ばすことができ、より大きなコンタクト２６の変位量を得ることができるようになり、コンタクト２６の安定した接触圧がより確保し易くなる。
【００７７】
したがって、本実施形態のカードコネクタ２３は、それに備えるカード接触用のコンタクト２６に安定した接触圧と高寿命を容易に確保することができる。
【００７８】
以上、各実施形態は本発明のコンタクトとそれを備えるカードアダプタ及びカードコネクタの好適な実施形態の一例を示したが、本発明はそれに限定されることなく、その要旨を逸脱しない範囲内で種々変形実施することができる。
【図面の簡単な説明】
【００７９】
【図１】本発明のコネクタ及びそれを備えるカードアダプタの実施形態に係るカードアダプタを使用する小型カードの（Ａ）表面図、（Ｂ）側面図、（Ｃ）裏面図である。
【図２】本発明のコネクタ及びそれを備えるカードアダプタの実施形態に係るカードアダプタの表面側の外観を示す斜視図である。
【図３】本発明のコネクタ及びそれを備えるカードアダプタの実施形態に係るカードアダプタの裏面側の外観を示す斜視図である。
【図４】本発明のコネクタ及びそれを備えるカードアダプタの実施形態に係るカードアダプタを分解した状態を示す斜視図である。
【図５】本発明のコネクタ及びそれを備えるカードアダプタの実施形態に係るカードアダプタの上ケースを除去した状態を示す斜視図である。
【図６】本発明のコネクタ及びそれを備えるカードアダプタの実施形態に係るカードアダプタの断面図である。
【図７】本発明のコネクタ及びそれを備えるカードアダプタの実施形態に係るカードアダプタの小型カード装着状態の断面図である。
【図８】本発明のコネクタ及びそれを備えるカードアダプタの実施形態に係るカードアダプタに備えるコンタクト郡の外観を示す斜視図である。
【図９】本発明のコネクタ及びそれを備えるカードアダプタの実施形態に係るカードアダプタに備えるコンタクト郡の（Ａ）平面図、（Ｂ）正面図、（Ｃ）側面図である。
【図１０】本発明のコネクタ及びそれを備えるカードアダプタの実施形態に係るカードアダプタに備えるコンタクト郡を成形したフープ材の（Ａ）平面図、（Ｂ）断面図、（Ｃ）側面図である。
【図１１】本発明のコネクタ及びそれを備えるカードアダプタの実施形態に係るカードアダプタに備えるカード接触用コンタクト接触部の変位前の状態を示す部分拡大断面である。
【図１２】本発明のコネクタ及びそれを備えるカードアダプタの実施形態に係るカードアダプタに備えるカード接触用コンタクト接触部の変位後の状態を示す部分拡大断面図である。
【図１３】本発明のコネクタ及びそれを備えるカードコネクタの実施形態に係るカードコネクタを使用する第３カードの（Ａ）表面図、（Ｂ）側面図、（Ｃ）裏面図である。
【図１４】本発明のコネクタ及びそれを備えるカードコネクタの実施形態に係るカードコネクタの外観を示す斜視図である。
【図１５】本発明のコネクタ及びそれを備えるカードコネクタの実施形態に係るカードコネクタの上ケースを除去した状態の斜視図である。
【図１６】本発明のコネクタ及びそれを備えるカードコネクタの実施形態に係るカードコネクタに備えるカード接触用コンタクトの外観を示す斜視図である。
【図１７】本発明のコネクタ及びそれを備えるカードコネクタの実施形態に係るカードコネクタのカード装着状態を示す平面図である。
【図１８】コンタクトの接触圧Ｆ（Ｎ）と変位量ｘ（ｍｍ）の関係を示すグラフである。
【符号の説明】
【００８０】
１  カード
２  接触パッド
３  カードアダプタ
４  アダプタ本体
４ｆ  外部接続用端子
５  下ケース
５ｆ  カード挿入空間
６  樹脂カバー（上ケース）
７  金属カバー（上ケース）
１１  カード接触用コンタクト
１１ａ  取付部
１１ｂ  第１支点部
１１ｃ  第１板バネ片部
１１ｄ  第２支点部
１１ｅ  第２板バネ片部
１１ｆ  接触部
２１  カード
２２  接触パッド
２３  カードコネクタ
２６  カード接触用コンタクト
２６ａ  取付部
２６ｃ  外部接続用端子
２６ｄ  第１支点部
２６ｅ  第１板バネ片部
２６ｆ  第２支点部
２６ｇ  第２板バネ片部
２６ｈ  接触部
２８  カード挿入空間
【図１】
2008146873.tif 000003
【図２】
2008146873.tif 000004
【図３】
2008146873.tif 000005
【図４】
2008146873.tif 000006
【図５】
2008146873.tif 000007
【図６】
2008146873.tif 000008
【図７】
2008146873.tif 000009
【図８】
2008146873.tif 000010
【図９】
2008146873.tif 000011
【図１０】
2008146873.tif 000012
【図１１】
2008146873.tif 000013
【図１２】
2008146873.tif 000014
【図１３】
2008146873.tif 000015
【図１４】
2008146873.tif 000016
【図１５】
2008146873.tif 000017
【図１６】
2008146873.tif 000018
【図１７】
2008146873.tif 000019
【図１８】
2008146873.tif 000020